(57)【特許請求の範囲】
【請求項１】
乱視患者用の多焦点同心円レンズであって、ａ．このレンズは前面と相対向する後面を有し、ｂ．前記前面と後面の一つがトーリック曲線を区画し、ｃ．前記前面と後面の他の一つが、患者の基本的な遠球面処方Ｒｘに対応する少なくとも一つの第１球面環状セグメントと、患者の基本的な円筒処方Ｒｘに対応する少なくとも一つの第２球面環状セグメントを有する複数の球面同心環状セグメントを区画し、前記複数の同心環状セグメントで増大した被写界深度のために、多焦点トーリックレンズが、回転に対して低感度になり、前記第１および第２球面環状セグメントの光学屈折力間の差は、２．００ジオプター未満である多焦点同心円レンズ。
【請求項２】
乱視患者用の多焦点同心円レンズであって、ａ．このレンズは前面と相対向する後面を有し、ｂ．前記前面と後面の一つが球面あるいは非球面曲線を区画し、ｃ．前記前面と後面の他の一つが、患者の基本的な遠処方Ｒｘに対応する少なくとも一つの第１球面環状セグメントと、患者の基本的な円筒処方Ｒｘに対応する少なくとも一つの第２球面環状セグメントを有する複数の球面同心環状セグメントを区画し、ｄ．前記第１および第２球面環状セグメントの光学屈折力の中間にある中間屈折力に対応する少なくとも一つの第３球面環状セグメントを有し、前記第１および第２球面環状セグメント間の前記光学屈折力の差は、２．００ジオプター未満である多焦点同心円レンズ。
【請求項３】
乱視患者用の多焦点同心円レンズであって、ａ．このレンズは前面と相対向する後面を有し、ｂ．前記前面と後面の一つが球面曲線を区画し、ｃ．前記前面と後面の他の一つが、患者の基本的な遠処方Ｒｘに対応する少なくとも一つの第１非球面環状セグメントと、患者の基本的な円筒処方Ｒｘに対応する少なくとも一つの第２非球面環状セグメントを有する複数の非球面同心環状セグメントを区画し、前記第１および第２非球面環状セグメント間の前記光学屈折力の差は、２．００ジオプター以下である多焦点同心円レンズ。
【請求項４】
乱視患者用の多焦点同心円レンズであって、ａ．このレンズは前面と相対向する後面を有し、ｂ．前記前面と後面の一つが非球面曲線を区画し、ｃ．前記前面と後面の他の一つが、患者の基本的な遠処方Ｒｘに対応する少なくとも一つの第１球面環状セグメントと、患者の基本的な円筒処方Ｒｘに対応する少なくとも一つの第２球面環状セグメントを有する複数の球面同心環状セグメントを区画し、前記第１および第２球面環状セグメント間の光学屈折力の差は、２．００ジオプター以下である多焦点同心円レンズ。
【発明の詳細な説明】
【０００１】
【発明の属する技術分野】
本発明は、乱視の患者のための同心円レンズに係る。より詳しくは、本発明は、トーリック（円環）軸心ずれに対する患者の感度を低下し、従って、トーリック製品の在庫品における在庫保管ユニットの必要数（在庫で保存され処方される様々な処方の総数）を減らすようなレンズに関する。この発明は、乱視、遠視、近視などの屈折異常を乱視の初期矯正で矯正する新規の方法を提供する。
【０００２】
【従来の技術】
一般にトーリックレンズは、以下の特徴により従来製造されている。
ａ．レンズの前面および後面のトーリック曲線、
ｂ．レンズ前面のプリズムバラストとスラブなし形状、
ｃ．非トーリック面は、球面である。
これらの従来技術は、円筒屈折力の軸が乱視の角膜の軸に対して正確に調整される場合のみ、乱視を適当に矯正する。（１０°より大きな）軸の心ずれは結果として実質的な視覚のロスになる。ソフトヒドロゲルコンタクトレンズでのこの軸の心ずれの主な原因は、不安定な回転である。
【０００３】
従来技術のトーリックレンズの設計では、長軸と短軸を含む単一トーリック面が、レンズの前面か後面の光学的部分に配置される。さらに、トーリックレンズの複数の軸は、レンズの前面に配置されたプリズムのバラスト付き／スラブなし形状か二重のスラブなし形状によって患者の角膜軸に関して通常、安定化される。これらの特性は、結果として得られたレンズの厚みを増し、装着感と生理的な受容性に妥協する傾向にある。
【０００４】
さらに、従来のトーリックレンズの設計は、広い乱視の患者ベースに合わせるため、在庫品における多数の在庫保管ユニット（在庫で保存され処方される様々な処方の総数）を必要とする。例えば、現在のよく取り替えるトーリックレンズ製品は、在庫品のベース毎に８００在庫保管ユニット（４０球面屈折力×２円筒屈折力×１０異なる円筒軸配置）で利用される。在庫品におけるベース曲線ごとのそのような大量の在庫保管ユニットは、特に使い捨て式製品として製造し、保存するのは不経済である。在庫品における必要な多数の在庫保管ユニットは、１０カ所以上の様々な円筒軸配置を与えるための必要性から主に発生する。さらに、眼の円筒軸に対する円筒軸の心ずれは、重大な視力の低下をもたらす。
【０００５】
在庫保管ユニットでの必要な円筒軸配置数を減らす目的で、オーストラリア公開特許出願ＷＯ９３／０３４０９号は、非球面をトーリック面と組み合わせて非球面で焦点深度を増大させて軸の心ずれに対応している。非球面を使用することによってトーリックレンズの焦点深度を増し、トーリックレンズの回転心ずれの効果を最少にする。複屈折光学素子を用いた屈折光学素子などの複合光学素子もこの特許出願が開示している。この従来技術の方法を用いる一つの不利な点は、そのような複合光学素子と非球面の製造が困難なことである。さらに、非球面光学素子に関して患者が解剖学的変化を示し、視力を適当に合わせることになる。つまり、この従来技術の方法は、現実の世界の患者ベースに関する非球面光学素子の視覚的予測不可能性がハイレベルであり、非球面やその他の複合光学素子を製造しコントロールする際の困難さのために、好ましくない。
【０００６】
【発明が解決しようとする課題】
そこで、本発明の主要な目的は、トーリック軸の心ずれに対する患者の感度を低下させ、トーリック製品の在庫品に保存された必要数の在庫保管ユニットを減らす乱視患者用の同心円レンズを提供することである。本発明は、従来のトーリックレンズに乱視患者を合わせるのに必要とされた円筒軸配置数を減らすトーリック（円環）レンズを提供することである。
【０００７】
本発明のいくつかの態様は、トーリック面と、プリズムバラストと、スラブなし形状を除き、基本的な処方球面屈折力Ｒｘでの球面の光学屈折力と、円筒処方屈折力Ｒｘと、球面光学屈折力と円筒光学屈折力間の中間光学屈折力を提供する。
【０００８】
本発明の他の目的は、多焦点同心環状セグメント（リング）を前面あるいは後面に、トーリック曲線をその反対面に備えて乱視を矯正する同心円レンズを提供することである。
【０００９】
本発明は、交互の同心環状セグメントを使用してコンタクトレンズの光学的領域を、少なくとも二つの光学屈折力、すなわち、患者の基本的な処方Ｒｘの屈折球面成分に対応する第１光学屈折力と患者の基本的な処方Ｒｘの円筒屈折力に対応する第２光学屈折力、あるいはそれらの部分を有する領域に分ける。
【００１０】
本発明は、乱視の低レベルの矯正用同心円レンズを用いて乱視の患者の視力を向上させそして改善させ、また選択的に非球面曲線を利用して多量の乱視の視力を向上させる。
【００１１】
【課題を解決するための手段】
本発明によれば、乱視の患者用多焦点同心円レンズが提供され、このレンズでは、レンズの前面と後面のどちらか一つがトーリック曲線を区画し、そして他方の面が患者の基本的な遠球面処方Ｒｘに対応する少なくとも一つの第１球面環状セグメントと、患者の基本的な円筒処方Ｒｘに対応する少なくとも一つの第２球面環状セグメントとを有する複数の球面同心環状セグメントを区画し、複数の同心環状セグメントによって増大した焦点深度のために上記多焦点トーリックレンズが回転によって感度が低下する。
【００１２】
より詳細にいえば、第１および第２球面環状セグメントの光学屈折力間の差は、２．００ジオプター未満であるのが好ましい。第２球面環状セグメントは、全円筒処方Ｒｘの一部に対応する。その設計は、第１および第２球面環状セグメントの光学屈折力間にある中間の光学屈折力に対応する第３球面環状セグメントを同様に組み入れることができる。同心環状セグメントは、患者の基本的な遠球面処方Ｒｘを有する中央のディスクを囲む。さらに、非球面は、レンズの焦点深度効果を増すためにトーリック曲線上で重ねられる。そのレンズは、ソフトヒドロゲルコンタクトレンズや眼内レンズなどのコンタクトレンズとすることができる。
【００１３】
本発明は同様に乱視患者用の多焦点同心円レンズであって、前面と後面の一つが球面あるいは非球面曲線を区画し、前記前面と後面の他の一つが、患者の基本的な遠処方Ｒｘに対応する少なくとも一つの第１球面環状セグメントと、患者の基本的な円筒処方Ｒｘに対応する少なくとも一つの第２球面環状セグメントを有する複数の球面同心環状セグメントを区画するレンズも提供する。
【００１４】
より詳細にいえば、第２球面環状セグメントは、全円筒処方Ｒｘの一部に対応する。その設計は、第１および第２球面環状セグメントの光学屈折力間にある中間の光学屈折力に対応する第３の球面環状セグメントを同様に組み入れることができる。第１球面環状セグメントは、患者の基本的な遠球面処方Ｒｘを有する中央のディスクを含み、少なくとも一つの第３中間屈折力環状セグメントで囲まれ、その第３中間屈折力環状セグメントは、少なくとも一つの第２円筒屈折力環状セグメントで囲まれる。同心円環状セグメントは、レンズの後面にあるのが好ましく、前面は、非球面曲線を区画してレンズの被写界深度効果を増大させる。
【００１５】
本発明は同様に乱視患者用の多焦点同心円レンズであって、前面と後面の一つが球面曲線か非球面曲線のいずれかを区画し、前面と後面の他の一つが、患者の基本的な遠処方Ｒｘに対応する少なくとも一つの第１環状セグメントと、患者の基本的な円筒処方Ｒｘに対応する少なくとも一つの第２環状セグメントを有する複数のそれぞれ非球面か球面の同心環状セグメントを区画する。
【００１６】
より詳細にいえば、上記レンズは、遠光学屈折力を備えた中央部分と、円筒屈折力と遠光学屈折力を略等しく分けて備えた中間部分と、増大した遠屈折力を備えた外側部分を有する。第１環状セグメントと第２環状セグメント間の光学屈折力は、２．００ジオプター以下であることが好ましく、非球面曲線は、−０．０５と−０．５の間のＫ値を持った楕円形を有し、その楕円は球面からわずかにずれる。
【００１７】
本発明は同様に乱視患者用の多焦点同心円レンズであって、前面と後面の一つが、患者の基本的な遠球面処方Ｒｘに対応する球面を区画し、前面と後面の他の一つが、患者の基本的な球面矯正処方Ｒｘに対応する少なくとも一つの第１トーリック環状セグメントと、患者の基本的な円筒処方Ｒｘに対応する少なくとも一つの第２トーリック環状セグメントを有する複数の同心トーリック環状セグメントを区画する。
【００１８】
より詳細にいえば、第２トーリック環状セグメントは、全円筒処方Ｒｘの一部に対応する。前面は球面を区画し、後面は複数のトーリック環状セグメントを区画する。その環状セグメントでは、第１および第２の交互同心トーリック環状セグメント間の光学屈折力の差は、２．００Ｄ未満であり、十分な焦点深度効果を与え、基準軸の位置から±２０度以下の軸の心ずれを可能にする。
【００１９】
【発明の実施の形態】
乱視用の同心円レンズに係る本発明の上述の目的と利点は、各図において同じ要素には同一の参照符号を付した添付図面とともに、以下の好ましい数態様の説明を参照すれば、当業者には容易に理解されるであろう。
【００２０】
図１と図２は本発明により設計された同心円レンズ１０の第１例の正面図と側面図をそれぞれ示す。このレンズは、
ａ．同心環状セグメント前面１２と、
ｂ．トーリック後面１４と、
ｃ．前面のプリズムバラストとスラブなし形状１６を有する。
【００２１】
原則的に、交互する前面同心環状セグメントＸとＹの二つの球面光学屈折力ＸとＹは、患者の基本的な遠球面処方Ｒｘに対応する球面屈折力を有する第１同心環状セグメントと、患者の円筒処方の一部に対応する患者の円筒処方Ｒｘに対応する第２球面環状セグメントとを含むことができる。
【００２２】
得られたトーリックレンズは、公開特許出願ＷＯ／０３４０９号に開示されたと同様に前面が被写界深度効果を持った非球面であるように回転により感度が低下する。
【００２３】
図３と図４は、第１例１０と同様の本発明に係る同心円レンズ２０の第２例のそれぞれ正面図と側面図を示す。この例では二つの球面光学屈折力ＸとＹに加えて、中間の球面光学屈折力セグメントＩもレンズ設計に含まれる。
【００２４】
以下の例で図１から図４の例における本発明の操作原理を示す。
−３．００／−１．５０×１８０（ここで−３．００Ｄは患者の基本的な遠光学屈折力矯正、−１．５０Ｄは患者の基本的な円筒光学屈折力矯正、ただし円筒軸を１８０°に規定）の処方Ｒｘを有する患者にとって、９０°〜２７０°での屈折力は、−４．５０Ｄ（−３．００Ｄとこの軸で有効な全円筒−１．５０Ｄの和）であり、一方、０°〜１８０°軸での屈折力は、−３．００Ｄである（円筒面は、この軸になんら寄与しない）。この第１例ではｘとｙの球面光学屈折力値は、
ｘ＝−３．００Ｄ，ｙ＝−４．５０Ｄ
であり、第２例の場合は、
ｘ＝−３．００Ｄ，ｙ＝−４．５０ＤおよびＩ＝３．７５Ｄ
である。
【００２５】
ほとんどの患者にとって、たとえ基準レンズが測定された屈折力から０．５Ｄだけ離れていても、視力はまずまずである。従って、上記例において効果的な光学屈折力の範囲は、
第１例では、
−２．５０Ｄ≦ｘ≦−３．５０Ｄ；    −４．００Ｄ≦ｙ≦−５．００Ｄ
であり、第２例では、
−２．５０Ｄ≦ｘ≦−３．５０Ｄ；    −４．００Ｄ≦ｙ≦−５．００Ｄ
−３．２５Ｄ≦Ｉ≦−４．２５Ｄ
である。
【００２６】
従来技術では患者の脳が焦点に合った像を受け入れ、焦点から外れた像を無視する適応能力を有することが認められている。患者の基本的な適応能力を認めれば、上記処方は、トーリックレンズの軸のわずかな心ずれ（１０°〜２０°）があっても満足な視力が与えられるはずである。
【００２７】
乱視患者にとって乱視の眼は下記の三つの領域を含む像を形成することが知られている。
１．球面屈折力は線として収斂する。
２．円筒屈折力は同様に線として、特に球面像の線に収斂する。
３．円形像は、球面屈折力と円筒屈折力に対し中間の屈折力である「最少の曖昧な円」として知られた二つの焦点線に収斂する。
【００２８】
図５は、本発明に係る同心円レンズ５０の第３例の後面の平面図を示し、そのレンズはトーリック面とプリズムバラストとスラブなし形状を取り除き、レンズ５０の一面、好ましくは前面に球面か非球面５２を用いる。ただし後面はレンズの反対側の面、好ましくは後面に、多焦点同心球面環状セグメント面５４と組み合わせて他の例で用いられ、前面はまた他の例で用いられる。
【００２９】
この例では、レンズの光学領域の同心環状セグメントは少なくとも三つの異なる光学屈折力を提供する。
Ａ．円筒軸に沿って存在する基本的な遠処方球面光学屈折力
Ｂ．処方円筒光学屈折力（球面屈折力と円筒屈折力の組み合わせ）
Ｃ．トーリック面の最少混乱の最良収斂点又は円に基づく中間光学屈折力
この例は、球面屈折力と円筒屈折力に加えて球面に相当する屈折力を合わせる原理を用いる。
【００３０】
本発明の幾つかの例は、非球面を使用せずにまたそれに伴う複雑さも不具合もなく焦点深度効果を増大させることができる。非球面の代わりに交互領域間の小さな屈折力差の同心球面あるいはトーリック面を用いて焦点深度効果を増大させることができる。
【００３１】
図６は、レンズ設計６０の他の例の後面の平面図を示す。このレンズは患者の基本的な球面遠処方に対応する球面の前面６２と、交互の光学屈折力Ｐ１とＰ２を有する同心環状セグメントトーリック面６６と、二重のスラブなし形状６８を含み、９０°か１８０°の軸位置でレンズを安定化する。交互の同心環状セグメントは、患者の処方Ｒｘに対応し、患者の遠処方Ｒｘに対応する屈折力Ｐ１の第１環状セグメントと、患者の円筒処方Ｒｘに対応する屈折力Ｐ２の第２環状セグメント、好ましくはそれらの一部を有する。交互の同心環状トーリックセグメント光学屈折力Ｐ１とＰ２間の差は、２．００Ｄ以下である。この小さな屈折力の差は、十分な焦点深度効果を与え、９０°か１８０°の軸位置などの基準からの＋又は−２０度以下の軸の心ずれにする。
【００３２】
図７は本発明のさらに好ましい例を示すものであり、この例では、レンズ７０の前面７２は９０°か１８０°の軸位置で二重のスラブなし形状７６で安定化された単純なトーリック光学領域７４を含み、レンズ７０の後面７８は交互の多重同心球面環状セグメントを含む。交互の多重同心球面環状セグメントは、患者の処方Ｒｘに対応し、患者の遠処方Ｒｘに対応する屈折力Ｐ１の第１環状セグメントと、患者の円筒処方Ｒｘに対応する屈折力Ｐ２の第２環状セグメント、好ましくはそれらの一部を有する。この後面の交互同心球面環状セグメントの屈折力の差は、２．００Ｄ以下であり、基準処方位置から＋又は−２０度以下の軸の心ずれにする。
【００３３】
前述の二つの例のどちらでも在庫品に保存された基本曲線毎の在庫保管ユニットの数は、１６０（４０球面屈折力×２円筒屈折力×２軸−９０°，１８０°）に減少する。さらに、同心円レンズによってもたらされた焦点深度効果は、視力の低下もなく軸の心ずれにゆとりがある。
【００３４】
本発明の幾つかの例は球面屈折力と円筒屈折力を交互させることによって機能し、眼の網膜に十分な双方の屈折力レベルを与える。実際の円筒屈折力は全円筒屈折力の２５％から１００％の範囲の全円筒屈折力かそのいずれの部分でもよい。
【００３５】
いくつかの好ましい例では、同心環状セグメント構造は、中央にディスク状の基本的な遠屈折力を備えたコンタクトレンズの後面に配置される。
以下の表１は、各領域に複数の環状セグメントを有するこの種の多焦点環状セグメントレンズ設計に対して提案された瞳孔の機能性を示す。対象の瞳孔は、三つの瞳孔に分けられ、最も内側のゾーン（領域）は球であるのが好ましい。
【００３６】
0004198204.tif 000002
この表では、円筒は、円筒処方（球面屈折力と円筒屈折力の和）に対応する球面円筒屈折力あるいはその一部を意味する。
【００３７】
図８はレンズ設計８０のタイプの平面図であり、このレンズは様々な照明条件の下で収縮あるいは拡大した瞳孔に対応するレンズの光学ゾーンが、図９と図１０の例にも示されているように、三つのゾーン、すなわち、最も内側のゾーン８２、中間ゾーン８４、外ゾーン８６に分かれている。最も内側のゾーン８２は、患者の基本的な遠処方Ｒｘを有する球面のディスクである。中間ゾーン８４は、上記表１による１個以上の環状セグメントからなり、外ゾーン８６も同様に上記表１による１個以上の環状セグメントからなる。図８は本発明による表１のタイプＢのレンズ設計１００の一つの典型的な設計例を示す。このレンズは、円筒屈折力のみ有する外ゾーンで囲まれたそれぞれ環状セグメントＣＳＣＳを有する中間ゾーンで囲まれた内側球面ゾーンＳを有し、８．４ｍｍの遠曲線半径と、８．５１１７３ｍｍの近曲線半径と、８．３９２０９ｍｍの中間曲線半径と、９．８３２ｍｍの周縁曲線半径を有する。
【００３８】
本発明は、視力を増大し改良する乱視矯正用の同心円レンズに関連する。これらのいくつかのレンズ設計は経験的な基礎に基づいて臨床的に評価され、たいていの場合、−１．５０ＤＣ以下のの円筒屈折力で効果的であり、−２．００ＤＣ以下で積極的な効果があることがわかった。これらのレンズ設計の効果は、同心円レンズと非球面光学面を組み合わせることによって−１．５０ＤＣから−２．００ＤＣまでの範囲で増大する。
【００３９】
0004198204.tif 000003
【００４０】
図９は表２にリストした、同心多焦点球面又は非球面環状セグメント後面９２とそれぞれ非球面又は球面の前面９４を有する典型的なレンズ９０の例の後面の平面図である。図１０は表２にリストした、同心多焦点球面又は非球面環状セグメント前面１０２とそれぞれ非球面又は球面の後面１０４を有する典型的なレンズ１００の例の前面の平面図である。
【００４１】
上記例は、レンズ（異なった瞳孔サイズに対応する）光学ゾーンを、交互の球面と円筒光学屈折力で別の同心ゾーンに分ける。それらの屈折力ゾーンの配置は、レンズの中央部が遠光学屈折力を有し、中間サイズの瞳孔が近等分割を有し、最大の瞳孔サイズが増大した遠光学屈折力を有した際に得られた球面光学屈折力と非球面光学屈折力間の最適分割を提供するであろう。
【００４２】
非球面は以下の一般方程式で記載される。この式は一般円錐方程式であり、球面、放物線、楕円、双曲線を有する全ての円錐曲線を含む。
【数１】
0004198204.tif 000004
ここでｋ＝０のときは球面、
ｋ＝−１のときは放物線、
０＞ｋ＞−１のときは楕円、
ｋ＜−１のときは双曲線である。
【００４３】
同心環状球面セグメントを有する後面と組み合わされた非球面を有する前面を備えたレンズは、設計と実施が容易なため好ましい例である。乱視矯正用のたいていの屈折力差矯正は、同心円レンズで実施され、従って、わずかな補助だけを与える非球面が視力を向上するため必要である。これを達成するため小さな非球面Ｋ値が必要とされる。Ｋ値は、球面および円筒双方の屈折力のぼけた円（最少の曖昧な円）径を小さくするのにそれら自身に必要なＫ値より小さい。最適な形状は、Ｋ値が−０．０５と−０．５の間の楕円形である。従って、この明細書で用いられた楕円は、球面からわずかにそれただけである。
【００４４】
本発明は分離した同心環状帯を滑らかな非球面関数で代えることもできる。この意味で非球面は、円錐非球面と、変化する偏心を備えた円錐非球面又は、関数の分離屈折力分割をシュミレートする多項式関数を示すことができる。
【００４５】
図１１はレンズの前面か後面の非球面によって生じた代表的な屈折力のプロフィールを示す。図１１は、球面遠視野％の非球面多焦点レンズのグラフを瞳孔％の関数として示し、瞳孔のパーセントが大きなものは、レンズの光学ゾーンの外周を区画する半径以下の大きな半径方向距離に対応する。
【００４６】
本明細書においては、乱視用の同心レンズ設計に対する本発明のいくつかの態様と変形例を詳細に説明したが、本発明の開示内容は当業者に多くの代替設計を示唆することが、明らかである。
【００４７】
なお本発明の具体的な実施態様は、以下の通りである。
１）第１および第２球面環状セグメントの光学屈折力間の差は、２．０ジオプター未満である請求項１記載の乱視患者用の多焦点同心円レンズ。
２）前記少なくとも一つの第２球面環状セグメントは、全円筒処方Ｒｘの一部に対応する請求項１記載の乱視患者用の多焦点同心円レンズ。
３）前記第１および第２球面環状セグメントの光学屈折力の中間にある中間屈折力に対応する少なくとも一つの第３球面環状セグメントをさらに有する請求項１記載の乱視患者用の多焦点同心円レンズ。
４）前記同心環状セグメントは、患者の基本的な遠処方Ｒｘを有する中央のディスクを囲む請求項１記載の乱視患者用の多焦点同心円レンズ。
５）前記同心環状セグメントは、レンズの後面にある請求項１記載の乱視患者用の多焦点同心円レンズ。
【００４８】
６）トーリック曲線上に重なった非球面をさらに有してレンズの焦点深度効果を向上させる請求項１記載の乱視患者用の多焦点同心円レンズ。
７）前記レンズは、ソフトヒドロゲルコンタクトレンズなどのコンタクトレンズである請求項１記載の乱視患者用の多焦点同心円レンズ。
８）前記レンズは、眼内レンズである請求項１記載の乱視患者用の多焦点同心円レンズ。
９）前記少なくとも一つの第２球面環状セグメントは、全円筒処方Ｒｘの一部に対応する請求項２記載の乱視患者用の多焦点同心円レンズ。
１０）第１および第２環状セグメントの光学屈折力間にある中間光学屈折力に対応する少なくとも一つの第３球面環状セグメントをさらに有する請求項２記載の乱視患者用の多焦点同心円レンズ。
【００４９】
１１）前記第１および第２球面環状セグメントの光学屈折力間の差は、２．０ジオプター未満である請求項２記載の乱視患者用の多焦点同心円レンズ。
１２）前記少なくとも一つの第１環状セグメントは、患者の基本的な球面遠処方Ｒｘを有する中央のディスクを有し、少なくとも一つの第３環状セグメントは、前記中央のディスクを囲み、少なくとも一つの第２環状セグメントは、前記第３環状セグメントを囲む上記実施態様１１）記載の乱視患者用の多焦点同心円レンズ。
１３）前記同心環状セグメントは、前記レンズの後面にある請求項２記載の乱視患者用の多焦点同心円レンズ。
１４）前記一つの面は、非球面曲線を区画し、前記レンズの被写界深度効果を増大する請求項２記載の乱視患者用の多焦点同心円レンズ。
１５）前記レンズは、コンタクトレンズである請求項２記載の乱視患者用の多焦点同心円レンズ。
【００５０】
１６）前記レンズは、ソフトヒドロゲルコンタクトレンズである上記実施態様１５）記載の乱視患者用の多焦点同心円レンズ。
１７）前記レンズは、眼内レンズである請求項１記載の乱視患者用の多焦点同心円レンズ。
１８）前記レンズは、遠光学屈折力を備えた中央部と、略等分割の円筒および遠光学屈折力を備えた中間部と、増大した光学屈折力を備えた外部を有する請求項３記載の乱視患者用の多焦点同心円レンズ。
１９）前記球面曲線は、前記前面にある請求項３記載の乱視患者用の多焦点同心円レンズ。
２０）前記第１および第２環状セグメント間の前記光学屈折力は、２．００ジオプター以下である請求項３記載の乱視患者用の多焦点同心円レンズ。
【００５１】
２１）各々非球面環状セグメントは、−０．０５と−０．５の間のＫ値を備えた楕円形状を有し、前記楕円は球面からわずかに離れている上記実施態様１９）記載の乱視患者用の多焦点同心円レンズ。
２２）前記少なくとも一つの第２環状セグメントは、前記全円筒処方Ｒｘの一部に対応する請求項３記載の乱視患者用の多焦点同心円レンズ。
２３）前記同心環状セグメントは、前記患者の基本的な球面遠処方Ｒｘを有する中央ディスクを囲む請求項３記載の乱視患者用の多焦点同心円レンズ。
２４）前記レンズは、コンタクトレンズである請求項３記載の乱視患者用の多焦点同心円レンズ。
２５）前記レンズは、ソフトヒドロゲルコンタクトレンズである上記実施態様２４）記載の乱視患者用の多焦点同心円レンズ。
【００５２】
２６）前記レンズは、眼内レンズである請求項３記載の乱視患者用の多焦点同心円レンズ。
２７）前記レンズは、遠光学屈折力を備えた中央部と、略等分割の円筒および遠光学屈折力を備えた中間部と、増大した光学屈折力を備えた外部を有する請求項４記載の乱視患者用の多焦点同心円レンズ。
２８）前記非球面曲線は、前記前面にある請求項４記載の乱視患者用の多焦点同心円レンズ。
２９）前記第１および第２環状セグメント間の前記光学屈折力は、２．００ジオプター以下である請求項４記載の乱視患者用の多焦点同心円レンズ。
３０）各々非球面環状セグメントは、−０．０５と−０．５の間のＫ値を備えた楕円形状を有し、前記楕円は球面からわずかに離れている上記実施態様２８）記載の乱視患者用の多焦点同心円レンズ。
【００５３】
３１）前記少なくとも一つの第２環状セグメントは、前記全円筒処方Ｒｘの一部に対応する請求項４記載の乱視患者用の多焦点同心円レンズ。
３２）前記同心環状セグメントは、前記患者の基本的な球面遠処方Ｒｘを有する中央ディスクを囲む請求項４記載の乱視患者用の多焦点同心円レンズ。
３３）前記レンズは、コンタクトレンズである請求項４記載の乱視患者用の多焦点同心円レンズ。
３４）前記レンズは、ソフトヒドロゲルコンタクトレンズである上記実施態様３３）記載の乱視患者用の多焦点同心円レンズ。
３５）前記レンズは、眼内レンズである請求項４記載の乱視患者用の多焦点同心円レンズ。
【００５４】
３６）前記第１および第２の交互同心トーリック環状セグメント間の前記光学屈折力差は、２．００Ｄ以下であり、十分な焦点深度効果を与え基準軸位置から＋又は−２０度以下の軸の心ずれにする請求項４記載の乱視患者用の多焦点同心円レンズ。
３７）前記少なくとも一つの第２トーリック環状セグメントは、前記全円筒処方Ｒｘの一部に対応する上記実施態様３６）記載の乱視患者用の多焦点同心円レンズ。
３８）前記前面は球面を区画し、前記後面は複数のトーリック環状セグメントを区画する請求項５記載の乱視患者用の多焦点同心円レンズ。
３９）前記少なくとも一つの第２トーリック環状セグメントは、前記全円筒処方Ｒｘの一部に対応する請求項５記載の乱視患者用の多焦点同心円レンズ。
４０）前記同心環状セグメントは、患者の基本的な球面遠処方Ｒｘを有する中央ディスクを囲む請求項５記載の乱視患者用の多焦点同心円レンズ。
【００５５】
４１）前記第１および第２環状セグメント間の前記光学屈折力は、２．００ジオプター以下である請求項５記載の乱視患者用の多焦点同心円レンズ。
４２）各々トーリック環状セグメントは、−０．０５と−０．５の間のＫ値を備えた楕円形状を有し、前記楕円は球面からわずかに離れている請求項５記載の乱視患者用の多焦点同心円レンズ。
４３）前記レンズは、ソフトヒドロゲルコンタクトレンズなどのコンタクトレンズである請求項５記載の乱視患者用の多焦点同心円レンズ。
【００５６】
【発明の効果】
以上のように、本発明によれば、トーリック軸の心ずれに対する患者の感度を低下させ、トーリック製品の在庫品に保存された必要数の在庫保管ユニットを減らす乱視患者用の同心円レンズを提供することができる。
【図面の簡単な説明】
【図１】第１および第２光学屈折力ＸとＹを有する同心環状セグメント前面と、トーリック後面を備えた本発明により設計された同心円レンズの第１例の正面図である。
【図２】第１および第２光学屈折力ＸとＹを有する同心環状セグメント前面と、トーリック後面を備えた本発明により設計された同心円レンズの第１例の側面図である。
【図３】第１および第２球面光学屈折力ＸとＹに加えて、中間の球面光学屈折力セグメントＩをレンズ設計に含む、図１と図２のレンズと同様の本発明に係る同心円レンズの第２例の正面図である。
【図４】第１および第２球面光学屈折力ＸとＹに加えて、中間の球面光学屈折力セグメントＩをレンズ設計に含む、図１と図２のレンズと同様の本発明に係る同心円レンズの第２例の側面図である。
【図５】トーリック面を取り除き、レンズの一面に球面か非球面を用い、レンズの反対面に多焦点同心環状セグメント面を組み合わせた本発明に係る同心円レンズの第３例の後面の平面図である。
【図６】患者の基本的な球面遠処方に対応する球面の前面と、同心環状セグメントトーリック面を有するレンズ設計の他の例の後面の平面図である。
【図７】レンズの前面は、光学ゾーンに単純なトーリック曲線を含み、レンズの後面は交互の多重同心球面環状セグメントを含む本発明のさらに好ましい例を示す図である。
【図８】レンズの光学ゾーンが三つのゾーン、すなわち、患者の基本的な遠処方Ｒｘを有する球面ディスクである最も内側のゾーン、球面および円筒光学屈折力を有する一つ以上の環状セグメントからなる中間ゾーン、主に円筒光学屈折力を有する一つ以上の環状セグメントからなる外ゾーンに分けられるレンズ設計の好ましい例の平面図である。
【図９】同心多焦点球面又は非球面環状セグメント後面とそれぞれ非球面又は球面の前面を有する典型的なレンズ９０の例の後面の平面図である。
【図１０】同心多焦点球面又は非球面環状セグメント前面とそれぞれ非球面又は球面の後面を有する典型的なレンズの例の前面の平面図である。
【図１１】非球面多焦点レンズの代表的な屈折力のプロフィールを示し、瞳孔のパーセントが大きなものは、レンズの光学ゾーンの大きな半径方向距離に対応する瞳孔％の関数としての球面遠視野％のグラフ図である。
【図１】
0004198204.tif 000005
【図２】
0004198204.tif 000006
【図３】
0004198204.tif 000007
【図４】
0004198204.tif 000008
【図５】
0004198204.tif 000009
【図６】
0004198204.tif 000010
【図７】
0004198204.tif 000011
【図８】
0004198204.tif 000012
【図９】
0004198204.tif 000013
【図１０】
0004198204.tif 000014
【図１１】
0004198204.tif 000015